(57)【特許請求の範囲】
【請求項１】
散粉機の散布量調節機構において、シャッターレバー４の操作に対して、シャッター２の回動方向を切り換える切換機構を設け、
該切換機構は、切換レバー１３と切換アーム１５と、切換レバー１３と一体化された上下動リンク２２と、切換アーム１５に穿設された切換溝１４と、切換アーム１５に固結され、シャッター２を回動する回動軸２９とにより構成し、
該切換溝１４内に切換レバー１３を嵌合し、該切換溝１４の左右端には切換レバー１３が位置保持される凹部を設け、該切換レバー１３をオペレーターが手動操作し、該切換溝１４の左右端部から他側へ回動して移動させると、前記シャッター２の回動方向が変更され、
該シャッター２の一方への回動により通常散布量の調節を可能とし、該シャッター２の他方への回動により、微量散布量の調節を可能としたことを特徴とする散粉機の微量散布調節機構。
【請求項２】
請求項１記載の散粉機の微量散布調節機構において、一方の通常散布量の調節側は、シャッター開口板５のシャッター開口５ａが、シャッター２の回動により全幅にわたり徐々に開放されるべく構成し、他方の微量散布量の調節側は、シャッター２に一定の開口部２ａを設け、シャッター２がシャッター開口５ａの一部のみを、開口部２ａにより開口すべく構成したことを特徴とする散粉機の微量散布調節機構。
【発明の詳細な説明】
【０００１】
【発明の属する技術分野】
本発明は、農業用の薬剤を散布する散粉機の調量機構に関する。特に、近年よく用いられるようになった、微量散布除草剤を散布する場合の微量調節取出機構を提供するものである。
【０００２】
【従来の技術】
従来、散粉機により散布する薬剤は、１ｈａ辺り、数１０ｋｇを散布する必要があり、この散布量に合致したようなシャッター開口板とシャッターにより構成されていたのである。
しかし、近年の環境保護の世論の高まりから、大量の薬剤を水田や畑に散布することが非難されるようになり、最近は微量を散布することにより、従来の散布量と殆ど同じ効果を発揮するような、１ｋｇ除草剤と呼ばれるような薬剤が販売されるようになったのである。
【０００３】
【発明が解決しようとする課題】
従来の数１０分の１から数分の１の、微量の散布により充分に効果を発揮する薬剤を散布可能とする為には、これまでの、長方形のシャッター開口を断面扇形筒状体のシャッターにより開閉するような大雑把な調量機構では、充分に水田全体に除草剤を微量散布することが不可能となったのである。
即ち、従来の散粉機のシャッターとシャッター開口板の構成をそのまま使用して、１ｋｇ除草剤を散布しようとすると、シャッターとシャッター開口との開口幅を、精密に調整する必要があり、この調整を誤ると一気に１ｋｇ除草剤の散布を終了してしまうという不具合があったのである。
本発明においては、通常の薬剤と１ｋｇ除草剤の場合とにおいて、シャッターの開口度の変更の出来るような切換機構を設け、従来のシャッターの回動方向を、正方向と負方向の２方向に回動可能として、一方は通常の開口、他方は小さな開口が構成可能としたものである。
【０００４】
【課題を解決するための手段】
本発明が解決すべき課題は以上の如くであり、次に該課題を解決するための手段を説明する。
請求項１においては、散粉機の散布量調節機構において、シャッターレバー４の操作に対して、シャッター２の回動方向を切り換える切換機構を設け、該切換機構は、切換レバー１３と切換アーム１５と、切換レバー１３と一体化された上下動リンク２２と、切換アーム１５に穿設された切換溝１４と、切換アーム１５に固結され、シャッター２を回動する回動軸２９とにより構成し、該切換溝１４内に切換レバー１３を嵌合し、該切換溝１４の左右端には切換レバー１３が位置保持される凹部を設け、該切換レバー１３をオペレーターが手動操作し、該切換溝１４の左右端部から他側へ回動して移動させると、前記シャッター２の回動方向が変更され、該シャッター２の一方への回動により通常散布量の調節を可能とし、該シャッター２の他方への回動により、微量散布量の調節を可能としたものである。
請求項２においては、請求項１記載の散粉機の微量散布調節機構において、一方の通常散布量の調節側は、シャッター開口板５のシャッター開口５ａが、シャッター２の回動により全幅にわたり徐々に開放されるべく構成し、他方の微量散布量の調節側は、シャッター２に一定の開口部２ａを設け、シャッター２がシャッター開口５ａの一部のみを、開口部２ａにより開口すべく構成したものである。
【０００５】
【発明の実施の形態】
本発明の課題を解決するための手段は、以上の如くであり、次に発明の実施の形態を説明する。
図１は本発明の微量散布調節機構を付設した散粉機の全体後面図、図２は同じく本発明の微量散布調節機構を具備した散粉機の側面図、図３は本発明の散粉機の微量散布調節機構の構成を示す分解状態の斜視図、図４は通常散布と微量散布の切換機構と、シャッター２の具体的な構成を示す拡大斜視図である。
【０００６】
図１，図２において、本発明の散粉機の全体的な構成を説明する。
薬剤ホッパー１とファンケース１７が合成樹脂のブロー成形により、一体的に構成されている。該ファンケース１７より散粉管１６が延出されている。該ファンケース１７の後面に駆動エンジンＥが固設されており、ファンケース１７内のファンを回転している。該ファンケース１７とエンジンＥと燃料タンク１０の部分を、側面視でＬ型に構成した散粉機フレーム２０の上に搭載している。
【０００７】
該散粉機フレーム２０の前面が垂直に立った部分には、背当て１８が固設されれ、該背当て１８の部分から背負いベルト１９が前方へ配置されている。また駆動エンジンＥから上方へ、エアクリーナ１１の部分が設けられている。
本発明の要部を構成するシャッターレバー４と、駆動エンジンＥのエンジン調節レバー４２の為のレバー支持体９の部分が、オペレーターが散粉機を背負った状態の左側の手の届く位置に配置されている。該レバー支持体９には、エンジン調節レバー４２の他に、本発明の要部を構成するシャッターレバー４と、最大吐出量調整ダイアル３と最大吐出量調整雄螺子杆７の部分が上下回動自在に支持されている。
【０００８】
本発明は図３，図４に示すように、散粉機の微量散布調節機構を構成している。
即ち、薬剤ホッパー１の内部において、シャッターシールリング２３内にシャッター開口板５と吐粉安定板１２が嵌合されて、該吐粉安定板１２の上にシャッター固定板２４を載置し、シャッター固定螺子２５で固定している。
【０００９】
本発明においては、図４に示す如く、シャッター２とシャッター開口５ａの関係位置を構成している。従来は、断面扇形筒状体に構成したシャッター２は、図４に示す、通常調節幅ａの部分のみで構成されており、該通常調節幅ａの部分が、シャッター開口板５に設けたシャッター開口５ａの下方を全閉から全開まで回動すべく構成していたのである。故に、該通常調節幅ａが開閉する場合には、全開ではシャッター開口５ａの全てが開放されるように構成していたのである。
【００１０】
これに対して、本発明は通常調節幅ａに、微小調整幅ｂを付加した断面扇形筒状体のシャッター２に構成したのである。そして、通常調節幅ａがシャッター開口５ａの全てを閉鎖した位置から、微小調整幅ｂの部分がシャッター開口５ａの下方にくると、微量取出の為の開口が、開口部２ａにより開放されるように構成したのである。即ち、微量散布の場合の全開は、開口部２ａが全て開いた状態までであり、それ以上の開口をすることはないように構成したのである。
【００１１】
そして、通常調節幅ａの部分は全閉時において、シャッター開口５ａを閉鎖する幅であり、この状態から、通常散布の場合には、図４の矢印Ａの方向にシャッター２を徐々に開放することにより、シャッター開口５ａの一部が徐々に開口していくのである。
逆に微量散布の場合には、通常調節幅ａの部分がシャッター開口５ａの下方を完全閉鎖した状態から、矢印Ｂの方向にシャッター２を回動させることにより、シャッター２の開口部２ａの部分が徐々に開口するのである。そして微量散布の場合の全開は、開口部２ａが全て開放された場合としたものである。
【００１２】
そして、該シャッター２を矢印Ａの方向と矢印Ｂの方向のどちらに回動させるかの切換機構は、図４において、切換レバー１３と切換アーム１５と切換溝１４により構成されている。該切換溝１４は切換アーム１５に穿設されており、左右端に切換レバー１３と上下動リンク２２とがデテント状態で位置する円形凹部が設けられている。この左右端部に位置すると、上下動リンク２２が自由に他側の位置に戻らないように構成している。該切換レバー１３はオペレーターが手動で操作するものであり、切換溝１４の左右端部のデテント位置から他側へ回動して移動させると、シャッター２の回動方向が矢印のＡからＢに変更されるのである。
【００１３】
そして該シャッター２をシャッターレバー４の側から回動する機構は、次の如く構成されている。レバー支持体９は取付ブラケット３６・３６・３６の部分において、ファンケース１７に固定されている。該レバー支持体９よりシャッターレバー４が突出されている。該シャッターレバー４は枢支部遊嵌金具３５により、レバー支持体９の一部に枢支されている。またシャッターレバー４に最大吐出量調整ボックス８が一体的に固定されており、該シャッターレバー４の回動により最大吐出量調整ボックス８が共に上下に回動するのである。そして、該最大吐出量調整ボックス８に最大吐出量調整雄螺子杆７が枢支され、該最大吐出量調整雄螺子杆７の外周にスライドリング６が螺装されている。
【００１４】
最大吐出量調整ボックス８に枢支した最大吐出量調整雄螺子杆７は、最大吐出量調整ダイアル３により回転可能に構成されており、オペレーターが最大吐出量を調整する為に最大吐出量調整ダイアル３を回転すると、最大吐出量調整雄螺子杆７が回転し、該最大吐出量調整雄螺子杆７の上の螺旋溝３４にスライドリング６の突起が嵌入してスライドすべく構成しているので、最大吐出量調整雄螺子杆７の上をスライドリング６が、最大吐出量調整ボックス８に設けた長孔３３内をスライドリング６の枢結突起２１が突出した状態で、前後にスライドすることとなる。
【００１５】
そして、スライドリング６が、散粉機の前後方向にスライドすることにより、上下動リンク２２が微妙に上下する。即ち、スライドリング６の枢結突起２１が、上下動リンク２２の枢結リンク２２ａに枢結されている。また上下動リンク２２の上部の枢結リンク２２ｂに、本発明の要部である切換レバー１３が設けられており、オペレーターが該切換レバー１３を、切換アーム１５の切換溝１４内において、左右に枢結位置を変更切換すべく構成しているのである。該最大吐出量調整ダイアル３の調整回動により、切換アーム１５が回動し、該切換アーム１５は回動軸２９に固定されており、該回動軸２９が係合凹部アーム２６を回動させる。該係合凹部アーム２６の係合凹部に、シャッター軸２８の突起アーム２７が嵌入しており、シャッター軸２８が回動する。
【００１６】
該シャッター軸２８の回動により、断面扇形筒状体のシャッター２が回動し、長方形のシャッター開口５ａ内で、最大開度を調整するのである。通常のシャッターレバー４による、微調整は、シャッターレバー４を回動すると前述の如く最大吐出量調整ボックス８が全体として回動するので、シャッター軸２８が大きく回動して、シャッター２を全閉から全開へと調整するのである。
【００１７】
即ち、最大吐出量調整ダイアル３の調整回転に際しては、最大吐出量調整ボックス８は回動せずにそのままの位置で、回動して、シャッター２を僅かに微調整の為の回動を行うのである。即ち、該最大吐出量調整ダイアル３による調整は、シャッターレバー４に対する、シャッター２の位置を微調整することとなり、結局は、シャッター２とシャッター開口５ａとの位置関係を変更して、最大吐出量を変更することとなるのである。そして通常の散粉作業中のシャッター２の開閉は、シャッターレバー４を大きく回動することで行われるのである。
【００１８】
【発明の効果】
本発明は以上の如く構成したので、次のような効果を奏するのである。
請求項１の如く、散粉機の散布量調節機構において、シャッターレバー４の操作に対して、シャッター２の回動方向を切り換える切換機構を設け、該切換機構は、切換レバー１３と切換アーム１５と、切換レバー１３と一体化された上下動リンク２２と、切換アーム１５に穿設された切換溝１４と、切換アーム１５に固結され、シャッター２を回動する回動軸２９とにより構成し、該切換溝１４内に切換レバー１３を嵌合し、該切換溝１４の左右端には切換レバー１３が位置保持される凹部を設け、該切換レバー１３をオペレーターが手動操作し、該切換溝１４の左右端部から他側へ回動して移動させると、前記シャッター２の回動方向が変更され、該シャッター２の一方への回動により通常散布量の調節を可能とし、該シャッター２の他方への回動により、微量散布量の調節を可能としたので、通常の薬剤散布の場合と、微量散布の場合とで、シャッターを交換する必要がなく、切換レバー１３により、上下動リンク２２と切換アーム１５との連結位置を変更することにより、シャッター２の回動方向を変更して、通常散布と微量散布に切り換えることが出来るので、シャッター機構の分解と再組立の操作が必要ないのである。
【００１９】
請求項２の如く、一方の通常散布量の調節側は、シャッター開口板５のシャッター開口５ａが、シャッター２の回動により全幅にわたり徐々に開放されるべく構成し、他方の微量散布量の調節側は、シャッター２に一定の開口部２ａを設け、シャッター２がシャッター開口５ａの一部のみを、開口部２ａにより開口すべく構成したので、従来からあるシャッター２の形状をやや変更し、また従来からあるアームの部分を切換アーム１５に構成するだけで、散粉機の微量散布調節機構を構成することが出来るので、大きな設計変更をすることなく、微量散布に対応した散粉機を構成することが可能となったのである。
【図面の簡単な説明】
【図１】  本発明の微量散布調節機構を付設した散粉機の全体後面図。
【図２】  同じく本発明の微量散布調節機構を具備した散粉機の側面図。
【図３】  本発明の散粉機の微量散布調節機構の構成を示す分解状態の斜視図。
【図４】  通常散布と微量散布の切換機構と、シャッター２の具体的な構成を示す拡大斜視図。
【符号の説明】
１  薬剤ホッパー
２  シャッター
２ａ  開口部
３  最大吐出量調整ダイアル
４  シャッターレバー
５  シャッター開口板
１３  切換レバー
１４  切換溝
１５  切換アーム
【図１】
0003665110.tif 000002
【図２】
0003665110.tif 000003
【図３】
0003665110.tif 000004
【図４】
0003665110.tif 000005